(57)【要約】【課題】ＡＧＣ利得を格納するためのメモリ装置のメモリ容量を削減し、かつ、ＡＧＣ制御を容易にすることができる送受信装置及び方法を提供すること。【解決手段】本発明の送受信装置１００は、回線品質に基づいて通信を行う複数のユーザ信号を複数のグループに分けるグループ分け部１１２と、前記グループごとにフレームの時間帯を割り当てる時間帯割当部１１４と、を具備する。本発明の送受信装置は、ガードタイムの長さを前記回線品質に基づいて前記グループごとに決め、かつ、前記複数のユーザ信号ごとに独立して前記ガードタイムを挿入する時間帯割当部を有するように構成してもよい。【選択図】      図１
2004228980.tif 000002
【特許請求の範囲】
【請求項１】
回線品質に基づいて通信を行う複数のユーザ信号を複数のグループに分けるグループ分け手段と、前記グループごとにフレームの時間帯を割り当てる時間帯割当手段と、を具備することを特徴とする送受信装置。
【請求項２】
前記グループ分け手段は、上り回線についてのみ前記複数のユーザ信号を前記複数のグループに分けることを特徴とする請求項１記載の送受信装置。
【請求項３】
前記時間帯割当手段は、ガードタイムの長さを前記回線品質に基づいて前記グループごとに決め、かつ、前記複数のユーザ信号ごとに独立して前記ガードタイムを挿入するガードタイム挿入手段を具備することを特徴とする請求項１又は請求項２記載の送受信装置。
【請求項４】
前記時間帯割当手段は、前記グループの境界にガードタイムを挿入するガードタイム挿入手段を具備することを特徴とする請求項１又は請求項２記載の送受信装置。
【請求項５】
前記時間帯割当手段は、回線品質が悪い前記グループを前記フレームの前部の時間帯に配置し、回線品質が良い前記グループを前記フレームの後部の時間帯に配置することを特徴とする請求項１から請求項４のいずれかに記載の送受信装置。
【請求項６】
前記時間帯割当手段は、回線品質が良い前記グループを前記フレームの前部の時間帯に配置し、回線品質が悪い前記グループを前記フレームの後部の時間帯に配置することを特徴とする請求項１から請求項４のいずれかに記載の送受信装置。
【請求項７】
前記グループ分け手段は、複数のユーザ信号を用いる複数の通信端末装置の移動速度情報に基づいて前記複数のユーザ信号を前記複数のグループに分ける手段と、高速の前記通信端末装置の前記グループに属する前記ユーザ信号に固定的なガードタイムを設定するガードタイム設定手段と、を具備することを特徴とする請求項１から請求項６のいずれかに記載の送受信装置。
【請求項８】
回線品質に基づいて通信を行う複数のユーザ信号を複数のグループに分けるグループ分けステップと、前記グループごとにフレームの時間帯を割り当てる時間帯割当ステップと、を具備することを特徴とする送受信方法。
【発明の詳細な説明】
【０００１】
【発明の属する技術分野】
本発明は、送信信号のフレームにおける複数のユーザ信号の時間帯を割り当てる送受信装置及び方法に関する。
【０００２】
【従来の技術】
従来、送受信装置として、図１２に示すものが知られている。図１２に示すように、従来の送受信装置１０は、送信装置２０及び受信装置３０を具備している。送信装置２０は、送信バッファ部２１、タイミング生成部２２、時間帯割当部２３、無線送信部２４及びアンテナ２５を具備している。受信装置３０は、アンテナ３１、無線受信部３２、受信バッファ部３３及び受信レベル検出部３４を具備している。
【０００３】
送信装置２０においては、送信バッファ部２１は送信信号を受けて一時的に記憶する。タイミング生成部２２は、タイミング情報を生成して時間帯割当部２３に与える。時間帯割当部２３は、送信バッファ部２１が記憶している送信信号が有している複数のユーザ信号のフレームにおける時間帯を割り当てて、タイミング情報に応じて送信バッファ部２１が記憶している送信信号（フレーム）を送出させる。
【０００４】
無線送信部２４は、送信バッファ部２１からの送信信号の周波数変換をして周波数変換された送信信号をアンテナ２５を介して無線送信信号として相手方の送受信装置（図示せず）に送信する。
【０００５】
一方、受信装置３０においては、アンテナ３１は、相手方の送受信装置からの無線送信信号を受けて受信信号を生成して無線受信部３２に与える。無線受信部３２は、アンテナ３１からの受信信号の周波数変換をして周波数変換後の受信信号を受信バッファ部３３及び受信レベル検出部３４に与える。受信バッファ部３３は、無線受信部３２からの受信信号を一時的に記憶した後に出力する。また、受信レベル検出部３４は、無線受信部３２からの受信信号のレベルを検出する。
【０００６】
この従来の送受信装置１０は、図１３に示すフレームフォーマットのフレームからなるユーザ信号を用いている。このフレームは、一般に、先頭の時間帯に報知チャネルを有し、この報知チャネルの後の時間帯に下り回線のデータを有し、かつ、前記下り回線のデータの後の時間帯に上り回線のデータを有するものである（非特許文献１参照）。このフレームフォーマットは、ＭＭＡＣ及びＢＲＡＮのフレームフォーマットである。
【０００７】
帯域割当方式として、タイナミックチャネル割当方式が検討されているが、複数のユーザ信号を配置する順番は回線品質とは無関係に決められる。
【０００８】
【非特許文献１】
ＥＴＳＩ  ＴＳ  １０１  ７６１−１  Ｖ１．２．１Ａ（２０００−０４）
【０００９】
【発明が解決しようとする課題】
しかしながら、従来の送受信装置においては、複数のユーザ信号を配置する順番が回線品質とは無関係に決められるため、ユーザ信号ごとに自動利得制御（ＡＧＣ）の引き込みに使用されるＡＧＣ利得情報をメモリ装置に格納しておく必要があるから、特にユーザ信号の数が多い場合にはメモリ装置のメモリ容量が非常に多くなるという問題がある。
【００１０】
また、従来の送受信装置においては、ユーザ信号ごとにＡＧＣの引き込みに使用される初期値を差し替える必要があるため、ＡＧＣ制御が非常に複雑になる問題がある。
【００１１】
本発明は、かかる点に鑑みてなされたものであり、ＡＧＣ利得を格納するためのメモリ装置のメモリ容量を削減し、かつ、ＡＧＣ制御を容易にすることができる送受信装置及び方法を提供することを目的とする。
【００１２】
【課題を解決するための手段】
本発明の送受信装置は、回線品質に基づいて通信を行う複数のユーザ信号を複数のグループに分けるグループ分け手段と、前記グループごとにフレームの時間帯を割り当てる時間帯割当手段と、を具備する構成を採る。
【００１３】
この構成によれば、ＡＧＣ利得の数がユーザ信号のグループの数のみでよいため、ＡＧＣ利得を格納するためのメモリ装置のメモリ容量を削減し、かつ、ＡＧＣ制御を容易にすることができる。
【００１４】
本発明の送受信装置は、前記構成において、前記グループ分け手段が、上り回線についてのみ前記複数のユーザ信号を前記複数のグループに分ける構成を採る。
【００１５】
この構成によれば、ＡＧＣ利得の数がユーザ信号のグループの数のみでよいため、ＡＧＣ利得を格納するためのメモリ装置のメモリ容量を削減し、かつ、ＡＧＣ制御を容易にすることができる。
【００１６】
本発明の送受信装置は、前記構成において、前記時間帯割当手段が、ガードタイムの長さを前記回線品質に基づいて前記グループごとに決め、かつ、前記複数のユーザ信号ごとに独立して前記ガードタイムを挿入するガードタイム挿入手段を具備する構成を採る。
【００１７】
この構成によれば、前記効果に加えて、回線品質に基づいてユーザ信号に独立にガードタイムを設定するため、伝送効率を向上することができる。
【００１８】
本発明の送受信装置は、前記構成において、前記時間帯割当手段が、前記グループの境界にガードタイムを挿入するガードタイム挿入手段を具備する構成を採る。
【００１９】
この構成によれば、前記効果に加えて、回線品質に基づいてグループごとにフレーム信号の時間帯を割り当て、グループの境界にガードタイムを挿入するため、伝送効率を向上することができる。
【００２０】
本発明の送受信装置は、前記構成において、前記時間帯割当手段が、回線品質が悪い前記グループを前記フレームの前部の時間帯に配置し、回線品質が良い前記グループを前記フレームの後部の時間帯に配置する構成を採る。
【００２１】
この構成によれば、ＡＧＣ利得の数がユーザ信号のグループの数のみでよいため、ＡＧＣ利得を格納するためのメモリ装置のメモリ容量を削減し、かつ、ＡＧＣ制御を容易にすることができる。
【００２２】
本発明の送受信装置は、前記構成において、前記時間帯割当手段が、回線品質が良い前記グループを前記フレームの前部の時間帯に配置し、回線品質が悪い前記グループを前記フレームの後部の時間帯に配置する構成を採る。
【００２３】
この構成によれば、前記効果に加えて、回線品質の良いユーザ信号を前部に配置し、かつ、回線品質の悪いユーザ信号を後部に配置するため、ＡＧＣの応答は速くなるから、さらにＡＧＣ引き込み精度を向上させることができる。
【００２４】
本発明の送受信装置は、前記構成において、前記グループ分け手段が、複数のユーザ信号を用いる複数の通信端末装置の移動速度情報に基づいて前記複数のユーザ信号を前記複数のグループに分ける手段と、高速の前記通信端末装置の前記グループに属する前記ユーザ信号に固定的なガードタイムを設定するガードタイム設定手段と、を具備する構成を採る。
【００２５】
この構成によれば、前記効果に加えて、通信端末装置の移動速度に応じてガードタイムを変化させる度合を少なくすることができる。
【００２６】
本発明の送受信方法は、回線品質に基づいて通信を行う複数のユーザ信号を複数のグループに分けるグループ分けステップと、前記グループごとにフレームの時間帯を割り当てる時間帯割当ステップと、を具備するようにした。
【００２７】
この方法によれば、ＡＧＣ利得の数がユーザ信号のグループの数のみでよいため、ＡＧＣ利得を格納するためのメモリ装置のメモリ容量を削減し、かつ、ＡＧＣ制御を容易にすることができる。
【００２８】
【発明の実施の形態】
本発明の骨子は、回線品質に基づいて通信を行う複数のユーザ信号を複数のグループに分け、前記グループごとにフレームの時間帯を割り当てることである。
【００２９】
（実施の形態１）
図１は、本発明の実施の形態１に係る送受信装置の構成を示すブロック図である。
【００３０】
図１に示すように、本発明の実施の形態１に係る送受信装置１００は、送信装置１１０及び受信装置１２０を具備している。送信装置１１０は、送信バッファ部１１１、グループ分け部１１２、タイミング生成１１３、時間帯割当部１１４、無線送信部１１５及びアンテナ１１６を具備している。
【００３１】
受信装置１２０は、アンテナ１２１、無線受信部１２２、受信バッファ部１２３及び受信レベル検出部１２４を具備している。
【００３２】
送信バッファ部１１１及びグループ分け部１１２の入力端子は、送信信号生成部（図示せず）の出力端子に接続されている。また、グループ分け部１１２の入力端子は、受信レベル検出部１２４の出力端子に接続されている。時間帯割当部１１４の入力端子は、グループ分け部１１２及びタイミング生成部１１３の出力端子に接続されている。時間帯割当部１１４の出力端子は、送信バッファ部１１１の制御端子に接続されている。無線送信部１１５の入力端子は、送信バッファ部１１１の出力端子に接続されている。アンテナ１１６の入力端子は、無線送信部１１５の出力端子に接続されている。
【００３３】
無線受信部１２２の入力端子は、アンテナ１２１の出力端子に接続されている。受信バッファ部１２３及び受信レベル検出部１２４の入力端子は、無線受信部１２２の出力端子に接続されている。
【００３４】
送信装置１１０においては、送信バッファ部１１１は複数のユーザ信号からなる送信信号を受けて一時的に記憶する。グループ分け部１１２は、複数のユーザ信号を有する送信信号及び受信レベル検出部１２４からの受信レベルを受ける。そして、グループ分け部１１２は、受信レベル検出部１２４からの受信レベルに基づいて、送信バッファ部１１１が記憶している送信信号が有している複数のユーザ信号を複数のグループに分けてグループ分け情報及び受信レベルを時間帯割当部１１４に与える。
【００３５】
タイミング生成部１１３は、送信タイミングを示すタイミング情報を生成して時間帯割当部１１４に与える。時間帯割当部１１４は、グループ分け部１１２からのグループ分け情報及び受信レベルに基づいて前記グループごとにフレームの時間帯を割り当てる。次に、時間帯割当部１１４は、タイミング生成部１１３からのタイミング情報に応じて送信バッファ部１１１が記憶している送信信号（フレーム）を送出させる。
【００３６】
ここで、制御を容易にするため、前記時間帯割当は、上り回線についてのみ行なうものとする。下り回線について前記時間帯割当を行なっても、通信端末装置は自分のバーストのみ受信するだけであるため、制御が複雑になるだけで利点が少ない。
【００３７】
無線送信部１１５は、送信バッファ部１１１からのユーザ信号（送信信号）の周波数変換をして周波数変換された送信信号をアンテナを介して無線送信信号として相手方の送受信装置（図示せず）に送信する。
【００３８】
一方、受信装置１２０においては、アンテナ１２１は、相手方の送受信装置からの無線送信信号を受けて受信信号を生成して無線受信部１２２に与える。無線受信部１２２は、アンテナ１２１からの受信信号の周波数変換をして周波数変換後の受信信号を受信バッファ部１２３及び受信レベル検出部１２４に与える。受信バッファ部１２３は、無線受信部１２２からの受信信号を一時的に記憶した後に制御信号を受けて受信信号を出力する。また、受信レベル検出部１２４は、無線受信部１２２からの受信信号のレベルを検出して受信レベルを生成して時間帯割当部１１４に与える。
【００３９】
なお、本発明の実施の形態１に係る送受信装置１００は、受信レベル検出部１２４からの受信レベルの代わりに信号対干渉比、搬送波対雑音比又は希望波対不要信号比などの回線品質を用いてもよい。この場合には、グループ分け部１１２は、前記回線品質に基づいて送信バッファ部１１１が記憶している送信信号が有している複数のユーザ信号を複数のグループに分けてグループ分け情報を生成して時間帯割当部１１４に与える。
【００４０】
次に、グループ分け部１１２及び時間帯割当部１１４の動作について、図２に基づいて具体的に説明する。
【００４１】
例えば、グループ分け部１１２は、回線品質に基づいて、送信バッファ部１１１が記憶している送信信号が有している複数のユーザ信号を２つのグループに分けてグループ分け情報を生成してグループ分け情報及び回線品質を時間帯割当部１１４に与える。時間帯割当部１１４は、グループ分け部１１２からのグループ分け情報及び回線品質に基づいて、前記グループごとにフレームの時間帯を割り当てる。
【００４２】
ここで、上り回線で通信を行なうユーザ信号として７つのユーザ信号が存在し、ユーザ信号１、３、７は回線品質が悪いものであり、かつ、ユーザ信号２、４、５、６は回線品質が良いものであるとする。この場合に、フレームにおける上り回線の前部の時間帯に回線品質が悪いユーザ信号であるユーザ１、３、７を配置し、かつ、フレームにおける上り回線の後部の時間帯に回線品質が良いユーザ信号であるユーザ信号２、４、５、６を配置する。
【００４３】
各グループに割当てられたユーザ信号の間の回線品質の差は少ないため、当然ＡＧＣ利得の差も小さい。したがって、全ユーザ信号分のＡＧＣ利得をメモリ装置に格納し、ユーザ信号ごとに差し替えなくても、ＡＧＣ引き込み誤差は小さくなる。例えば、回線品質が悪い場合のＡＧＣ利得と回線品質が良い場合のＡＧＣ利得のみをメモリ装置に格納しておき、割当てられたグループによってメモリ装置の２つのＡＧＣ利得のいずれかを選択すれば良い。
【００４４】
なお、本発明の実施の形態１においては、時間帯割当部１１４は、受信レベル検出部１２４からの受信レベルに基づいて、送信バッファ部１１１が記憶している送信信号が有している複数のユーザ信号を３以上のグループに分けて、前記グループごとにフレームの時間帯を割り当てる構成してもよい。
【００４５】
このように、本発明の実施の形態１によれば、ＡＧＣ利得の数がユーザ信号のグループの数のみでよいため、ＡＧＣ利得を格納するためのメモリ装置のメモリ容量を削減し、かつ、ＡＧＣ制御を容易にすることができる。
【００４６】
（実施の形態２）
次に、本発明の実施の形態２について、図面を参照して詳細に説明する。図３は、本発明の実施の形態２に係る送受信装置の構成を示すブロック図である。本発明の実施の形態２においては、本発明の実施の形態１と同じ構成要素には同じ参照符号が付されて、その説明が省略される。
【００４７】
図３に示すように、本発明の実施の形態２に係る送受信装置３００は、本発明の実施の形態１に係る送受信装置１００において、送信装置１１０の代わりに送信装置３１０を具備し、送信装置３１０が時間帯割当部１１４の代わりに時間帯割当部３１１を有している。
【００４８】
すなわち、送受信装置３００は、送信装置３１０及び受信装置１２０を具備している。送信装置３１０は、送信バッファ部１１１、グループ分け部１１２、タイミング生成１１３、時間帯割当部３１１、無線送信部１１５及びアンテナ１１６を具備している。
【００４９】
時間帯割当部３１１の入力端子は、グループ分け部１１２及びタイミング生成部１１３の出力端子に接続されている。時間帯割当部３１１の出力端子は、送信バッファ部１１１の制御端子に接続されている。
【００５０】
次に、本発明の実施の形態１に係る送受信装置１００と異なる本発明の実施の形態２に係る送受信装置３００の動作について、説明する。
【００５１】
時間帯割当部３１１は、グループ分け部１１２からのグループ分け情報及び受信レベル（回線品質）に基づいてグループごとにフレーム信号の時間帯を割り当て、ガードタイムの長さを受信レベル（回線品質）に基づいてグループごとに決め、かつ、複数のユーザ信号ごとに独立してガードタイムを挿入する。
【００５２】
回線品質の良いユーザ信号は基地局装置（通信装置）との通信距離が短いユーザ信号であるため、当然伝搬遅延も少ない。したがって、回線品質の良いユーザ信号はガードタイムを短くすることができる。
【００５３】
従来のように、回線品質を考慮しないで各ユーザ信号をランダムに配置した場合に、すべてのユーザ信号について最大伝搬遅延分だけガードタイムを設定する必要がある。これは、１バースト前で送信しているユーザの伝搬遅延時間が最大に近い値であるとすると、最大伝搬遅延分だけガードタイムを設定しないと衝突が生じる危険があるからである。
【００５４】
しかし、本発明の実施の形態１においては、伝搬遅延時間が少ないユーザ信号の１バースト前で送信しているユーザ信号の伝搬遅延時間も少ないため、ガードタイムを短くしても衝突は生じない。
【００５５】
ここで、ガードタイムは、例えば、回線品質が悪いユーザ信号について図４のように１シンボル分設定し、回線品質が良いユーザ信号について図５のように１／２シンボル分設定するとする。なお、これは、１例であって、ガードタイムの長さは、任意の値に設定可能である。また、ガードタイムの種類も、任意に設定可能である。
【００５６】
このように、本発明の実施の形態２によれば、本発明の実施の形態１の効果に加えて、回線品質に基づいてユーザ信号に独立にガードタイムを設定するため、伝送効率を向上することができる。
【００５７】
なお、本発明の実施の形態２においては、時間帯割当部３１１は、グループ分け部１１２からのグループ分け情報及び受信レベル（回線品質）に基づいてグループごとにフレーム信号の時間帯を割り当てる動作を実行しなくてもよい。
【００５８】
（実施の形態３）
次に、本発明の実施の形態３について、図面を参照して詳細に説明する。図６は、本発明の実施の形態３に係る送受信装置の構成を示すブロック図である。本発明の実施の形態３においては、本発明の実施の形態１と同じ構成要素には同じ参照符号が付されて、その説明が省略される。
【００５９】
図６に示すように、本発明の実施の形態３に係る送受信装置６００は、本発明の実施の形態１に係る送受信装置１００において、送信装置１１０の代わりに送信装置６１０を具備し、送信装置６１０が時間帯割当部１１４の代わりに時間帯割当部６１１を有している。
【００６０】
すなわち、送受信装置６００は、送信装置６１０及び受信装置１２０を具備している。送信装置６１０は、送信バッファ部１１１、グループ分け部１１２、タイミング生成１１３、時間帯割当部６１１、無線送信部１１５及びアンテナ１１６を具備している。
【００６１】
時間帯割当部６１１の入力端子は、グループ分け部１１２及びタイミング生成部１１３の出力端子に接続されている。時間帯割当部６１１の出力端子は、送信バッファ部１１１の制御端子に接続されている。
【００６２】
次に、本発明の実施の形態１に係る送受信装置１００と異なる本発明の実施の形態３に係る送受信装置６００の動作について、説明する。
【００６３】
時間帯割当部６１１は、グループ分け部１１２からのグループ分け情報及び受信レベル（回線品質）に基づいてグループごとにフレーム信号の時間帯を割り当て、図７に示すように、グループの境界にガードタイムを挿入する。
【００６４】
品質の悪いユーザ信号は基地局装置（通信装置）との距離が長いため、伝搬遅延も当然大きい。しかし、回線品質の良いユーザ信号はガードタイムを少なくしているため、品質の悪いグループの最後に配置されたユーザ信号と品質の良いグループの最初に配置されたユーザ信号との間で、衝突が生じる場合がある。
【００６５】
そこで、本発明の実施の形態３に係る送受信装置６００においては、複数に分けられたグループの界にガードタイムを挿入することにより、前記衝突が生じることを防止している。
【００６６】
このように、本発明の実施の形態３によれば、本発明の実施の形態１の効果に加えて、回線品質に基づいてグループごとにフレーム信号の時間帯を割り当て、グループの境界にガードタイムを挿入するため、伝送効率を向上することができる。
【００６７】
（実施の形態４）
次に、本発明の実施の形態４について、図面を参照して詳細に説明する。図８は、本発明の実施の形態４に係る送受信装置の構成を示すブロック図である。本発明の実施の形態４においては、本発明の実施の形態１と同じ構成要素には同じ参照符号が付されて、その説明が省略される。
【００６８】
図８に示すように、本発明の実施の形態４に係る送受信装置８００は、本発明の実施の形態１に係る送受信装置１００において、送信装置１１０の代わりに送信装置８１０を具備し、送信装置８１０が時間帯割当部１１４の代わりに時間帯割当部８１１を有している。
【００６９】
すなわち、送受信装置８００は、送信装置８１０及び受信装置１２０を具備している。送信装置８１０は、送信バッファ部１１１、グループ分け部１１２、タイミング生成１１３、時間帯割当部８１１、無線送信部１１５及びアンテナ１１６を具備している。
【００７０】
時間帯割当部８１１の入力端子は、グループ分け部１１２及びタイミング生成部１１３の出力端子に接続されている。時間帯割当部８１１の出力端子は、送信バッファ部１１１の制御端子に接続されている。
【００７１】
次に、本発明の実施の形態１に係る送受信装置１００と異なる本発明の実施の形態４に係る送受信装置８００の動作について、説明する。
【００７２】
時間帯割当部８１１は、グループ分け部１１２からのグループ分け情報及び回線品質に基づいて、回線品質が良い前記グループをフレームの前部の時間帯に配置し、回線品質が悪いグループをフレームの後部の時間帯に配置する。
【００７３】
ここで、図９に示すように、上り回線で通信を行なうユーザ信号として７つのユーザ信号が存在し、ユーザ信号２、４、５、６は回線品質が良いものであり、ユーザ信号１、３、７は回線品質が悪いものであるとする。この場合に、時間帯割当部８１１は、フレームにおける上り回線の前部の時間帯に回線品質が良いユーザ信号であるユーザ信号２、４、５、６を配置し、かつ、フレームにおける上り回線の後部の時間帯に回線品質が悪いユーザ信号であるユーザ１、３、７を配置する。
【００７４】
各グループに割当てられたユーザ信号の間の回線品質の差は少ないため、当然ＡＧＣ利得の差も小さい。したがって、全ユーザ信号分のＡＧＣ利得をメモリ装置に格納し、ユーザ信号ごとに差し替えなくても、ＡＧＣ引き込み誤差は小さくなる。例えば、回線品質が悪い場合のＡＧＣ利得と回線品質が良い場合のＡＧＣ利得のみをメモリ装置に格納しておき、割当てられたグループによってメモリ装置の２つのＡＧＣ利得のいずれかを選択すれば良い。
【００７５】
回線品質の良いユーザ信号の場合にはＡＧＣ利得は当然小さい値となり、回線品質の悪いユーザ信号の場合にはＡＧＣ利得は当然大きい値となる。ここで、ＡＧＣの動作だが、一般にＡＧＣ利得を大きくしていく方が、ＡＧＣ利得を小さくしていく方に比較すると、応答が早い。
【００７６】
したがって、回線品質の良いユーザ信号を前部に配置し、かつ、回線品質の悪いユーザ信号を後部に配置する方がＡＧＣの応答は速くなり、さらにＡＧＣ引き込み精度を向上させることができる。
【００７７】
なお、本発明の実施の形態４においては、時間帯割当部８１１は、回線品質に基づいて、送信バッファ部１１１が記憶している送信信号が有している複数のユーザ信号を３以上のグループに分けて、回線品質が良いグループから順次に配置するように構成してもよい。
【００７８】
また、本発明の実施の形態４は、本発明の実施の形態２、３に適用することができる。
【００７９】
このように、本発明の実施の形態４によれば、ＡＧＣ利得の数がユーザ信号のグループの数のみでよいため、ＡＧＣ利得を格納するためのメモリ装置のメモリ容量を削減し、かつ、ＡＧＣ制御を容易にすることができる。また、本発明の実施の形態４によれば、回線品質の良いユーザ信号を前部に配置し、かつ、回線品質の悪いユーザ信号を後部に配置するため、ＡＧＣの応答は速くなるから、さらにＡＧＣ引き込み精度を向上させることができる。
【００８０】
（実施の形態５）
次に、本発明の実施の形態５について、図面を参照して詳細に説明する。図１０は、本発明の実施の形態５に係る送受信装置の構成を示すブロック図である。本発明の実施の形態５においては、本発明の実施の形態１と同じ構成要素には同じ参照符号が付されて、その説明が省略される。
【００８１】
図１０に示すように、本発明の実施の形態５に係る送受信装置１０００は、本発明の実施の形態１に係る送受信装置１００において、送信装置１１０の代わりに送信装置１０１０を具備し、送信装置１０１０がグループ分け部１１２及び時間帯割当部１１４の代わりにグループ分け部１０１１及び時間帯割当部１０１２を有している。
【００８２】
すなわち、送受信装置１０００は、送信装置１０１０及び受信装置１２０を具備している。送信装置１０１０は、送信バッファ部１１１、グループ分け部１０１１、タイミング生成１１３、時間帯割当部１０１２、無線送信部１１５及びアンテナ１１６を具備している。
【００８３】
時間帯割当部１０１２の入力端子は、グループ分け部１０１１及びタイミング生成部１１３の出力端子に接続されている。時間帯割当部１０１２の出力端子は、送信バッファ部１１１の制御端子に接続されている。
【００８４】
グループ分け部１０１１は、複数のユーザ信号を有する送信信号及び受信レベル検出部１２４からの受信レベル（回線品質）を受ける。また、グループ分け部１０１１は、複数のユーザ信号を用いる通信端末装置の移動速度を検出する移動速度を検出装置（図示せず）からの移動速度情報を受ける。
【００８５】
そして、グループ分け部１０１１は、受信レベル（回線品質）及び移動速度情報に基づいて、送信バッファ部１１１が記憶している送信信号が有している複数のユーザ信号を複数のグループに分けてグループ分け情報、受信レベル及び移動速度情報を時間帯割当部１０１２に与える。
【００８６】
時間帯割当部１０１２は、グループ分け部１０１１からのグループ分け情報、受信レベル及び移動速度情報に基づいて複数のユーザ信号を複数のグループに分け、かつ、高速の通信端末装置のグループに属するユーザ信号に固定的なガードタイムを設定する。
【００８７】
この場合に、時間帯割当部１０１２は、図１１に示すように、高速の通信端末装置のグループを前記フレームの最後部の時間帯に配置することが望ましい。
【００８８】
本発明の実施の形態５は、本発明の実施の形態２〜４のいずれかに適用することができる。
【００８９】
このように、本発明の実施の形態５によれば、本発明の実施の形態１〜４のいずれかの効果に加えて、通信端末装置の移動速度に応じてガードタイムを変化させる度合を少なくすることができる。
【００９０】
なお、本発明は、ＣＤＭＡ方式、ＯＦＤＭ方式又はシングルキャリア方式などの任意の通信方式に適用可能である。
【００９１】
【発明の効果】
以上説明したように、本発明によれば、ＡＧＣ利得の数がユーザ信号のグループの数のみでよいため、ＡＧＣ利得を格納するためのメモリ装置のメモリ容量を削減し、かつ、ＡＧＣ制御を容易にすることができる。
【図面の簡単な説明】
【図１】本発明の実施の形態１に係る送受信装置の構成を示すブロック図
【図２】本発明の実施の形態１に係る送受信装置に用いる送信信号の１例を説明するための図
【図３】本発明の実施の形態２に係る送受信装置の構成を示すブロック図
【図４】本発明の実施の形態２に係る送受信装置に用いる送信信号の１例を説明するための図
【図５】本発明の実施の形態２に係る送受信装置に用いる送信信号の他の例を説明するための図
【図６】本発明の実施の形態３に係る送受信装置の構成を示すブロック図
【図７】本発明の実施の形態３に係る送受信装置に用いる送信信号の１例を説明するための図
【図８】本発明の実施の形態４に係る送受信装置の構成を示すブロック図
【図９】本発明の実施の形態４に係る送受信装置に用いる送信信号の１例を説明するための図
【図１０】本発明の実施の形態５に係る送受信装置の構成を示すブロック図
【図１１】本発明の実施の形態５に係る送受信装置に用いる送信信号の１例を説明するための図
【図１２】従来の送受信装置の構成を示すブロック図
【図１３】従来の送受信装置に用いる送信信号の１例を説明するための図
【符号の説明】
１００、３００、６００、８００、１０００  送受信装置
１１０、３１０、１０１０  送信装置
１２０  受信装置
１１１  送信バッファ部
１１２、１０１１  グループ分け部
１１３  タイミング生成
１１４、３１１、６１１、８１１、１０１２  時間帯割当部
１１５  無線送信部
１１６、１２１  アンテナ
１２２  無線受信部
１２３  受信バッファ部
１２４  受信レベル検出部
【図１】
2004228980.tif 000003
【図２】
2004228980.tif 000004
【図３】
2004228980.tif 000005
【図４】
2004228980.tif 000006
【図５】
2004228980.tif 000007
【図６】
2004228980.tif 000008
【図７】
2004228980.tif 000009
【図８】
2004228980.tif 000010
【図９】
2004228980.tif 000011
【図１０】
2004228980.tif 000012
【図１１】
2004228980.tif 000013
【図１２】
2004228980.tif 000014
【図１３】
2004228980.tif 000015